(57)【要約】【課題】固定具の低コスト製造ができ、固定具の根太に対する取付安定性が高められ、デッキ完成後に任意のデッキ材の取外しが容易にできるデッキ材固定構造を提供する。【解決手段】幅方向両端の側壁の下部が底面壁に向かって凹ませてあり、底面壁がその側壁の下端部からデッキ材の幅方向両端部付近まで突出されて、先端に係止部を有する固定縁が形成され、その固定縁と側壁の下部との間に固定具の昇降が可能な凹部が形成されているデッキ材、及び、根太に載せてビスで固定される固定部と、その固定部の幅方向一端部にほぼ下向きコ字形に形成され、デッキ材の係止部を下側に係合させる第１係合部と、固定部の幅方向他端部にほぼへ字形に形成され、デッキ材の係止部を下側に係合させる第２係合部とを有する固定具とから構成されている。【選択図】      図３
2006193974.tif 000002
【特許請求の範囲】
【請求項１】
次の要件を備えたデッキ材と固定具とから構成されるデッキ材固定構造。
デッキ材は、その幅方向両端の側壁の下部が底面壁に向かって凹ませてあるとともに、前記底面壁が前記側壁の下端部からデッキ材の幅方向両端部付近まで突出されて、先端に係止部を有する固定縁が形成され、前記固定縁と前記側壁の下部との間に後記固定具の昇降が可能な凹部が形成されていること。
固定具は、その幅方向中央に根太に載せられてビスで前記根太に固定される固定部と、その固定部の幅方向一端部にほぼ下向きコ字形に形成され、前記デッキ材の係止部を下側に係合させる第１係合部と、前記固定部の幅方向他端部にほぼへ字形に形成され、前記デッキ材の係止部を下側に係合させる第２係合部とを有していること。
【請求項２】
デッキ材の固定縁の係止部は、先端からデッキ材の幅方向中央に向かって上り傾斜するテーパーを有することを特徴とする請求項１に記載のデッキ材固定構造。
【請求項３】
ビスで根太に固定される固定部と、その固定部の幅方向一端部にほぼ下向きコ字形に形成され、前記デッキ材の係止部を下側に係合させる第１係合部と、前記固定部の幅方向他端部にほぼへ字形に形成され、先端に上向きテーパーを有するガイド部を備え、前記デッキ材の係止部を下側に係合させる第２係合部とを有しているデッキ材固定具。
【発明の詳細な説明】
【技術分野】
【０００１】
本発明は、デッキ材を根太に固定するための構造及びそれに用いられる固定具に関する。
【背景技術】
【０００２】
テラスデッキやベランダデッキは、複数の根太の上に複数のデッキ材を載せ、そのデッキ材をビスで根太に固定して構成されるが、最近は、ビスの頭がデッキ材の上面に露出しないように固定されるのが一般的になっている。そのようなデッキ材の固定を実現する先行技術には、次のようなものが知られている。第１先行技術（特許文献１）は、デッキ材の幅方向両端部の側面に段部を設け、根太の上に隣り合わせて載置したデッキ材の隣接する段部に短冊状の止め板を掛け渡し、デッキ材の間の隙間からその止め板に貫通したビスを根太にねじ込むもの。第２先行技術（特許文献２）は、デッキ材の幅方向両端部の側面にスリット状の係合溝を設けるとともに、概略横転Ｈ字形の固定具を用い、根太の上に置いた一つのデッキ材の係合溝に固定具の一方の上部突縁を嵌合するとともにその固定具の一方の下部突縁をデッキ材の底面と根太の間に挿入して、その固定具をビスで根太に固定し、次に根太に載せたデッキ材を先のデッキ材の方向に摺動して、このデッキ材の一端の係合溝に前記固定具の他方の上部突縁を嵌合するとともにその固定具の他方の下部突縁をデッキ材の底面と根太の間に挿入し、その状態で、このデッキ材の他端の係合溝に次の固定具の一方の上部突縁を嵌合するとともにその固定具の一方の下部突縁をデッキ材の底面と根太の間に挿入して、その固定具をビスで根太に固定し、以後、最後のデッキ材まで同様の作業を繰り返すもの。第３先行技術（特許文献３，４）は、デッキ材の幅方向両端部の側面に上縁部と下縁部で形成された凹部を設け、根太の上に置いた一つのデッキ材の凹部に概略倒立Ω字形の長尺又は短尺の固定部材の一方の係止部を嵌合して、その固定部材をビスで根太に固定し、次に根太に載せたデッキ材を先のデッキ材の方向に押して、このデッキ材の一端の凹部に前記固定部材の他方の係止部を嵌合し、その状態で、このデッキ材の他方の凹部に次の固定部材の一方の係止部を嵌合して、その固定部材をビスで根太に固定し、以後、最後のデッキ材まで同様の作業を繰り返すもの。
【特許文献１】特開平１１−２８０１４４号公報
【特許文献２】特開２００２−４７７８２号公報
【特許文献３】特開２００２−１４６９０１号公報
【特許文献４】特開２００２−２０６２７６号公報
【発明の開示】
【発明が解決しようとする課題】
【０００３】
しかしながら、上記の従来技術による場合は、次のような問題点があった。
第１先行技術においては、一つの止め板と一つのビスで隣り合わせて載置されたデッキ材の隣接する端部を同時に固定するので、ビスのねじ込み作業中にデッキ材が離間する虞があり、また、止め板が根太から段部まで上方に離間しているため、ビスのねじ込み作業の安定性が低い。そのために、固定後のデッキ材の間に形成される隙間の寸法にバラツキが発生し易い。
第２先行技術においては、固定具が複雑な形状を有するため製造コストが高くなり、また、下部突縁をデッキ材の底面と根太の間に挿入し、かつ、上部突縁をデッキ材のスリット状の係合溝に嵌合するから、固定具のデッキ材に対する係合が容易でなく、また、完成後のデッキにおいて、任意の位置のデッキ材を補修又は交換のために取り外すことができない。
第３先行技術においては、固定部材が複雑な形状を有するので、同様に製造コストが高くなると共に、デッキ材の凹部への係止部の係合が容易でなく、また、固定部材の両側の係止部がそれぞれ隣り合うデッキ材の凹部に緊密に嵌合係止されるので、完成後のデッキにおいて、任意の位置のデッキ材を補修又は交換のために取り外すことができない。
【０００４】
こうして、本発明が解決しようとする第１の課題は、固定具を低コストで製造でき、固定具の根太に対する取付安定性が高められ、デッキ完成後に任意の位置のデッキ材を容易に取り外すことができるデッキ材固定構造を提供することにある。
本発明の第２の課題は、上記デッキ材固定構造に用いられ、デッキ材の連続的設置が円滑に行うことができるデッキ材固定具（以下、単に固定具という場合がある。）を提供することにある。
【課題を解決するための手段】
【０００５】
上記課題を解決するため、本発明に係るデッキ材固定構造は、次のデッキ材と固定具とから構成されることを特徴している。すなわち、デッキ材は、その幅方向両端の側壁の下部が底面壁に向かって凹ませてあるとともに、その底面壁がその側壁の下端部からデッキ材の幅方向両端部付近まで突出されて、先端に係止部を有する固定縁が形成され、その固定縁と前記側壁の下部との間に固定具の昇降が可能な凹部が形成されているものである。また、固定具は、根太に載せられてビスでその根太に固定される固定部と、その固定部の幅方向一端部にほぼ下向きコ字形に形成され、デッキ材の係止部を下側に係合させる第１係合部と、前記固定部の幅方向他端部に、ほぼへ字形に形成され、デッキ材の係止部を下側に係合させる第２係合部とを有している。
【０００６】
上記の構成により、デッキ材を根太に固定するには、デッキの一端部となる位置に最初のデッキ材を位置決めし、上記固定具又は別の固定具をビスで根太に固定して、その固定具で最初のデッキ材の幅方向一端の係止部を係合して固定する。次に、最初のデッキ材の幅方向他端至近の所定位置における根太に上記固定具の固定部を載せ、第１係合部に最初のデッキ材の幅方向他端の係止部を係合させた後、その固定部に貫通したビスを根太にねじ込んで固定する。続いて、二番目のデッキ材を根太の上に載せて先のデッキ材の方向に摺動して、そのデッキ材の幅方向一端の係止部を固定具の第２係合部に係合させて固定する。二番目のデッキ材の幅方向他端の係止部に対しても、最初のデッキ材の他端の係止部の場合と同じ要領で、次の固定具をビスで根太に固定すると共に、第１係合部により固定する。以後、デッキの他端部に位置される最後のデッキ材まで二番目のデッキ材の場合と同様の作業を繰り返し、最後のデッキ材の幅方向他端の係止部を上記固定具又は別の固定具を根太にビスで固定して、その固定具で最後のデッキ材の幅方向他端の係止部を係合して固定する。
隣接するデッキ材の対向する凹部は、固定具の昇降を可能にするので、デッキ完成後に、任意の位置のデッキ材の両側に存在するビスを緩めると、そのビスで固定されていた固定具を凹部の中で根太から離間することができる。従って、そのデッキ材を取り外すことができる。
【０００７】
デッキ材の固定縁の係止部は、先端からデッキ材の幅方向中央に向かって上り傾斜するテーパーを有することが望ましい。
このような係止部を備えた場合は、根太の上に載せられたデッキ材を先のデッキ材の方向に摺動してそのデッキ材の一端の係止部を固定具の第２係合部に係合させる際の抵抗が可及的に小さくなる。従って、後のデッキ材を先のデッキ材の方向に摺動させるだけで容易に固定具に係合することができる。
【０００８】
本発明に係るデッキ材固定具は、根太に載せられてビスで固定される固定部と、その固定部の幅方向一端部にほぼ下向きコ字形に形成され、前記デッキ材の係止部を係合させる第１係合部と、前記固定部の幅方向他端部にほぼへ字形に形成され、先端に上向きテーパーを有するガイド部を備え、前記デッキ材の係止部を係合させる第２係合部とを有していることを特徴としている。
第１係合部がほぼ下向きコ字形に形成されている場合は、先に取り付けられるデッキ材の固定縁が確実に固定される。また、第２係合部がテーパーを有するガイド部を備えている場合は、デッキ材を根太の上で先のデッキ材の方向に摺動するときに、そのデッキ材の係止部又はテーパー付き係止部が前記ガイド部に案内されて容易に第２係合部に係合する。
【発明の効果】
【０００９】
請求項１の発明によれば、デッキ材は、その底面壁の延長上に固定縁を有し、固定具は、隣り合って載置されるデッキ材の前記固定縁を根太との間で挟持固定する係合部と根太に固定される固定部とを有するだけでよいので、非常に扁平な簡単な形状に形成できる。従って、製造コストを大幅に削減可能であり、また、固定具は、根太からの高さが低いデッキ材の係合縁を扁平な係合部で係合し、根太に載せられる固定部においてビスで固定されるので、ビス止め作業の安定性が高く、施工能率が向上するとともに、デッキ材の固定が確実である。また、固定具は両側のデッキ材の凹部に収容されているので、ビスを緩めると、固定具が根太から離間されるため、任意の位置のデッキ材の両側のビスを緩めることにより、そのデッキ材のみを容易に取り外すことができる。従って、デッキ材の補修又は交換を容易に行うことができる。
【００１０】
請求項２の発明によれば、デッキ材の固定縁の係止部は先端からデッキ材の幅方向中央に向かって上り傾斜するテーパーを有するので、デッキ材を根太の上に載せ、先のデッキ材の方向に摺動する際に、そのデッキ材の幅方向一端の係止部が固定具の第２係合部に案内されて容易に係合することができるから、デッキ材の取付が容易であるとともに、取付後の固定が確実である。
【００１１】
請求項３の発明によれば、第１係合部がほぼ下向きコ字形に形成されているから、先に取り付けられるデッキ材の固定縁が確実に固定され、また、第２係合部がテーパーを有するガイド部を備えているから、デッキ材を根太の上で先のデッキ材の方向に摺動するときに、そのデッキ材の先端の固定縁がガイド部に案内されて容易に第２係合部に係合する。従って、デッキ材を順次固定する作業を安定して行うことができるので、施工能率を向上することができる。
【発明を実施するための最良の形態】
【００１２】
次に、本発明の実施の形態について図面に基づいて説明する。
図１は本発明によるデッキ材固定構造を採用したデッキの一部の断面図、図２はデッキ材固定具の斜視図、図３は固定具とデッキ材の係止部との作用を説明する要部の断面図である。
【００１３】
図１において、１はデッキ材、２は固定具、３はビス、４は根太である。
デッキ材１は、アルミニウム合金等の金属製形材で成形されたデッキ材本体５と、このデッキ材本体の上部を装飾するように嵌合被覆されたカバー体６とからなっている。
【００１４】
デッキ材本体５は、上面壁７と、その上面壁の幅方向両端部から下方に延びる側壁８と、両側の側壁の下端部を接続する底面壁９と、上面壁と底面壁の中間部を接続する補強壁１０とを有する。補強壁１０は、根太４に下側から貫通されるねじ（不図示）を底面壁の幅方向中央にねじ込まれる場合があるので、そのねじを逃げるために、底面壁の幅方向中央から左右いずれかの側に寄った位置に形成されている。また、１１は、上面壁を補強する要望がある場合に形成される溝である。
【００１５】
カバー体６は、合成樹脂形材で形成されている。材料コスト削減と資源再利用（リサイクル）のため、再生材料製の内層６ａと、デッキ材表面に弾力性を与え、かつ、木調模様及び色彩を備えるため木粉入り合成樹脂製の外層６ｂとを同時成形により一体的に接合して皿状に成形されている。
【００１６】
そして、カバー体６を、その側面部でデッキ材本体５の側壁の上部を被覆し、上面部でデッキ材本体５の上面壁７を被覆するようにデッキ材本体５に嵌合して、側面部においてビス１２をねじ込んでデッキ材本体５と一体的に結合して、デッキ材１が構成されている。
【００１７】
本発明に係るデッキ材固定構造においては、上記デッキ材本体５の側壁８の下部が底面壁９に向かって凹ませられ、相対的に底面壁の両端部がその側壁の下端部からデッキ材の幅方向両端部付近まで突出されて、その突出する部分で固定縁１３が形成され、その固定縁の先端に係止部１４が形成されている。好ましくは、係止部は片刃状に形成され、先端から底面壁の中央方向に上向きに傾斜するテーパーを備えている。そして、側壁の下部と固定縁１３との間に凹部１５が形成されている。一つのデッキ材の一方の係止部の先端から他方の係止部の先端までの距離、すなわち、デッキ材の底面壁９の幅は、上面壁７の幅よりも若干小さく設定されている。
【００１８】
固定具２は、鋼板のプレス加工又はローラフォーミング加工により作られ、図１〜図３に例示するように、固定部１６と、その固定部の一端部に断面下向きコ字形に形成された第１係合部１７と、固定部１６の他端部に断面へ字形に形成された第２係合部１８とを有する。固定部１６のほぼ中央部にビス貫通用孔１６ａが設けられている。また、第１係合部の先端から固定部１６の底面の延長線までの距離は、デッキ材の固定縁１３の厚みとほぼ等しくされている。さらに、第２係合部１８の先端部には、好ましくは、先端に向けて上り傾斜するように屈曲されてテーパーを有するガイド部１８ａが備えてあるとともに、前記屈曲部から固定部１６の底面の延長線までの距離は、デッキ材の固定縁１３の厚みとほぼ等しくされている。
【００１９】
上記のデッキ材１と固定具２の構成により、デッキ材１は次のようにして根太４に取り付けることができる。
すなわち、まず、図１の左側に示す最初のデッキ材１（Ｅ）を位置決めし、上記固定具２又は固定具２の一方の係止部を削除したものと同様の形状を有する固定具をビスで根太４に固定して、その固定具で最初のデッキ材１（Ｅ）の幅方向一端（図１では左端）の係止部１４を係合して固定する。
【００２０】
次に、最初のデッキ材１（Ｅ）の幅方向他端（図１では右端）至近の所定位置における根太４の上に固定具２の固定部１６を載せ、図３に詳しく示すように、第１係合部１７に最初のデッキ材１（Ｅ）の幅方向他端の係止部１４を係合させた後、固定部１６に貫通したビス３を根太４にねじ込んで固定する。
【００２１】
続いて、図１の右側に示す二番目のデッキ材１（Ｌ）を根太４の上に載せて先のデッキ材１（Ｅ）の方向に摺動して、そのデッキ材１（Ｌ）の幅方向一端（図１では左端）の係止部１４を固定具２の第２係合部１８に係合させて固定する。この場合、第２係合部１８の先端にテーパー付きガイド部１８ａが設けてある場合は、後のデッキ材を根太の上で先のデッキ材の方向に摺動する際に、そのデッキ材の係止部１４は、そのテーパー部がガイド部に案内されて円滑に、すなわち、少ない抵抗で第２係合部１８の下面に沿って押し入り、その第２係合部を弾性変形させながらガイド部の最下位の屈曲部を通過する。そして、通過後の第２係合部１８の弾性復元により係止部１４は第２係合部に係合するため、デッキ材は幅方向の移動を阻止されて、仮固定される。
【００２２】
二番目のデッキ材１（Ｌ）の幅方向他端（図１では右端）の係止部１４に対しても、最初のデッキ材１（Ｅ）の他端の係止部の場合と同じ要領で、次の固定具２をビス３で根太４に固定すると共に、第１係合部１７がそのデッキ材の他端の係止部に係合してこれを固定する。このデッキ材の他端側の固定具による固定を行う際は、一端が先の固定具により上記のように仮固定されているので、意に反して位置ずれをする不都合が起きない。従って、デッキ材を所定の位置に確実に取り付けることができる。
【００２３】
以後、デッキの他端部に位置される最後のデッキ材まで二番目のデッキ材１（Ｌ）の場合と同様の作業を繰り返し、最後のデッキ材の幅方向他端の係止部を上記固定具２又は別の固定具を根太４にビス３で固定して、その固定具で最後のデッキ材の幅方向他端の係止部を係合して固定する。
【００２４】
隣接するデッキ材１，１の対向する凹部１５，１５は、固定具２の昇降を可能にするので、デッキ完成後に、任意の位置のデッキ材、例えば図１の右側のデッキ材１の両側に存在するビス３を緩めると、そのビスで固定されていた固定具２を凹部１５，１５の中で根太から上方に離間することができるので、そのデッキ材の両側の係止部１４を固定具の係合部から脱出させて取り外すことができる。
【００２５】
デッキ材の凹部１５の高さを適宜設定すると、ビス３を根太４から抜いてしまわずに、すなわち、固定具２を保持したまま、デッキ材の取り外し及び再取付けが可能である。従って、任意の位置のデッキ材の補修又は交換を容易迅速に行うことができる。
【００２６】
図１及び図３から明らかなように、固定具２の固定部１６の幅寸法は、根太４の上に近接して取り付けられる両側のデッキ材１の上面壁の間の隙間から挿入されるドライバ等によって回転されるビス３の頭を受け止め、かつ、根太に載置され得る幅であればよい。従って、比較的小さな幅を有すればよい。また、両側の係合部１７，１８はデッキ材の底面壁の延長上に設けられる係止部と係合し得る形状を有すればよいので、高さも幅も比較的小さいもので済む。従って、固定具は、全体的に扁平で簡単な形状を有するので、製造も容易であり、製造コストの低減が可能である。さらに、根太の上面に載置される固定部１５においてビス３をねじ込むので、ねじ込み作業の安定性が高く、ビスを確実堅固に根太にねじ込むことができるから、デッキ材がしっかりと取付けられる。
【００２７】
なお、デッキ材の幅方向両端の固定縁１３及び凹部１５が、デッキ材の幅方向中央に関して対称形に形成されている場合は、デッキ材を根太に載置する際に向きを選択する必要がないので、施工能率が向上する。
【図面の簡単な説明】
【００２８】
【図１】本発明によるデッキ材固定構造を採用したデッキの一部の断面図。
【図２】デッキ材固定具の斜視図。
【図３】固定具とデッキ材の係止部との作用を説明する要部の断面図。
【符号の説明】
【００２９】
１、１（Ｅ），１（Ｌ）  デッキ材
８    側壁  
９    底面壁
１３  固定縁
１４  係止部
１５  凹部
２    固定具
１６    固定部
１７    第１係合部
１８    第２係合部
１８ａ  テーパー付きガイド部
３    ビス
４    根太
【図１】
2006193974.tif 000003
【図２】
2006193974.tif 000004
【図３】
2006193974.tif 000005